(57)【要約】【課題】通常呼出と、ついで呼出とを区別して行うことができ、通常呼出を行った場合にのみ親機側に報知し、ついで呼出を行った場合には廊下灯のみを点灯させるようにし、看護師の作業効率の向上を図ること。【解決手段】本発明のナースコール呼出装置によれば、通常呼出を行う呼出釦２０１と、ついで呼出を行う呼出釦２０２と、呼出釦２０１が操作されると、スピーカから呼出音を発生させ、表示灯を点灯または点滅させ、廊下灯を通常点灯パターンで点灯させる呼出信号を生成する信号生成部２０４と、呼出釦２０２が操作されると、廊下灯をついで点灯パターンで点灯させる呼出信号を生成する信号生成部２０５と、信号生成部２０４で生成された呼出信号を親機および対応する廊下灯へと出力し、信号生成部２０５で生成された呼出信号を対応する廊下灯へと出力する信号出力部２０６とを備える。【選択図】      図４
2005072870.tif 000002
【特許請求の範囲】
【請求項１】
病院内のナースセンタに設けられた親機と、前記病院内の各病室に設けられ、前記親機への呼出を行うことが可能な複数の子機とを備えたナースコールシステムにおいて、
前記各子機に、通常呼出を行う第１の呼出釦と、ついで呼出を行う第２の呼出釦とを備え、
前記親機に、前記第１の呼出釦が操作され通常呼出がなされた場合には呼出音を発生する呼出音発生手段と、前記第１の呼出釦が操作され通常呼出がなされた場合には点灯または点滅する呼出表示灯とを備え、
前記病院内の廊下であって前記各病室の出入口近傍に設けられ、対応する病室に設けられた子機から前記通常呼出がなされた場合には第１の点灯パターンで点灯し、前記ついで呼出がなされた場合には前記第１の点灯パターンとは異なる第２の点灯パターンで点灯する廊下灯を備えたナースコールシステム。
【請求項２】
病院内のナースセンタに設けられた親機と、前記病院内の各病室に設けられ、前記親機への呼出を行う複数の子機とを備えたナースコールシステムにおいて、
前記各子機に、予め定められた第１の方向に押圧された場合には通常呼出を行い、予め定められた第２の方向に押圧された場合にはついで呼出を行う呼出釦を備え、
前記親機に、前記通常呼出がなされた場合には呼出音を発生する呼出音発生手段と、前記通常呼出がなされた場合には点灯または点滅する呼出表示灯とを備え、
前記病院内の廊下であって前記各病室の出入口近傍に設けられ、対応する病室に設けられた子機から前記通常呼出がなされた場合には第１の点灯パターンで点灯し、前記子機から前記ついで呼出がなされた場合には前記第１の点灯パターンとは異なる第２の点灯パターンで点灯する廊下灯を備えたナースコールシステム。
【請求項３】
病院内のナースセンタに設けられた親機と、前記病院内の各病室に設けられ、前記親機への呼出を行う複数の子機とを備えたナースコールシステムにおいて、
前記各子機に、予め定められた第１のストローク押し下げられた場合には通常呼出を行い、予め定められた第２のストローク押し下げられた場合にはついで呼出を行う呼出釦を備え、
前記親機に、前記通常呼出がなされた場合には呼出音を発生する呼出音発生手段と、前記通常呼出がなされた場合には点灯または点滅する呼出表示灯とを備え、
前記病院内の廊下であって前記各病室の出入口近傍に設けられ、対応する病室に設けられた子機から前記通常呼出がなされた場合には第１の点灯パターンで点灯し、前記ついで呼出がなされた場合には前記第１の点灯パターンとは異なる第２の点灯パターンで点灯する廊下灯を備えたナースコールシステム。
【請求項４】
請求項１乃至３のうち何れか１項に記載のナースコールシステムにおいて、
前記廊下灯が前記第２の点灯パターンで点灯している状態で、この廊下灯に対応する病室に設けられた子機から前記通常呼出がなされた場合には、前記第２の点灯パターンに代えて前記第１の点灯パターンで前記廊下灯を点灯させるようにしたナースコールシステム。
【請求項５】
病院内のナースセンタに設けられ表示灯とスピーカとを備えた親機と、前記病院内の各病室に設けられ、前記親機への呼出を行うことが可能な複数の子機と、前記病院内の廊下であって前記各病室の出入口近傍に設けられ、対応する病室に設けられた子機から前記呼出がなされた場合には点灯する廊下灯とを備えたナースコールシステムに適用され、前記呼出を行うために前記各子機に備えられた呼出装置であって、
通常呼出を行う第１の呼出釦と、
ついで呼出を行う第２の呼出釦と、
前記第１の呼出釦が操作されると、前記スピーカから呼出音を発生させ、前記表示灯を点灯または点滅させ、前記廊下灯を第１の点灯パターンで点灯させる通常呼出信号を生成する第１の信号生成手段と、
前記第２の呼出釦が操作されると、前記廊下灯を前記第１の点灯パターンとは異なる第２の点灯パターンで点灯させるついで呼出信号を生成する第２の信号生成手段と、
前記第１の信号生成手段で生成された通常呼出信号を前記親機および対応する廊下灯へと出力し、前記第２の信号生成手段で生成されたついで呼出信号を前記対応する廊下灯へと出力する信号出力手段と
を備えたナースコール呼出装置。
【請求項６】
病院内のナースセンタに設けられ表示灯とスピーカとを備えた親機と、前記病院内の各病室に設けられ、前記親機への呼出を行うことが可能な複数の子機と、前記病院内の廊下であって前記各病室の出入口近傍に設けられ、対応する病室に設けられた子機から前記呼出がなされた場合には点灯する廊下灯とを備えたナースコールシステムに適用され、前記呼出を行うために前記各子機に備えられた呼出装置であって、
前記呼出を行う呼出釦と、
前記呼出釦が予め定められた第１の方向に押圧された場合には、前記スピーカから呼出音を発生させ、前記表示灯を点灯または点滅させ、前記廊下灯を第１の点灯パターンで点灯させる通常呼出信号を生成する第１の信号生成手段と、
前記呼出釦が予め定められた第２の方向に押圧された場合には、前記廊下灯を前記第１の点灯パターンとは異なる第２の点灯パターンで点灯させるついで呼出信号を生成する第２の信号生成手段と、
前記第１の信号生成手段で生成された通常呼出信号を前記親機および対応する廊下灯へと出力し、前記第２の信号生成手段で生成されたついで呼出信号を前記対応する廊下灯へと出力する信号出力手段と
を備えたナースコール呼出装置。
【請求項７】
病院内のナースセンタに設けられ表示灯とスピーカとを備えた親機と、前記病院内の各病室に設けられ、前記親機への呼出を行うことが可能な複数の子機と、前記病院内の廊下であって前記各病室の出入口近傍に設けられ、対応する病室に設けられた子機から前記呼出がなされた場合には点灯する廊下灯とを備えたナースコールシステムに適用され、前記呼出を行うために前記各子機に備えられた呼出装置であって、
前記呼出を行う呼出釦と、
前記呼出釦が予め定められた第１のストローク押し下げられた場合には、前記スピーカから呼出音を発生させ、前記表示灯を点灯または点滅させ、前記廊下灯を第１の点灯パターンで点灯させる通常呼出信号を生成する第１の信号生成手段と、
前記呼出釦が予め定められた第２のストローク押し下げられた場合には、前記廊下灯を前記第１の点灯パターンとは異なる第２の点灯パターンで点灯させるついで呼出信号を生成する第２の信号生成手段と、
前記第１の信号生成手段で生成された通常呼出信号を前記親機および対応する廊下灯へと出力し、前記第２の信号生成手段で生成されたついで呼出信号を前記対応する廊下灯へと出力する信号出力手段と
を備えたナースコール呼出装置。
【請求項８】
請求項５乃至７のうち何れか１項に記載のナースコール呼出装置において、
前記廊下灯が前記第２の点灯パターンで点灯している状態で、この廊下灯に対応する病室に設けられた子機の信号出力手段から前記通常呼出信号が出力された場合には、前記第２の点灯パターンに代えて前記第１の点灯パターンで前記廊下灯を点灯させるようにしたナースコール呼出装置。
【発明の詳細な説明】
【技術分野】
【０００１】
本発明は、ナースコール呼出装置およびナースコールシステムに係り、更に詳しくは、例えば病院や介護施設で使用されるナースコールシステム、およびナースコールシステムにおいて、子機側から親機側に対してなされる呼出を効果的に行うために子機側に設けられた呼出装置に関するものである。
【背景技術】
【０００２】
一般に、病院はナースセンタと幾つかの病室とからなり、各病室内の患者が看護師に連絡を取ったり、その逆に看護師が患者に連絡を取ったりする手段として、ナースコールシステムが用いられている。介護施設もまたナースセンタと幾つかの介護室とからなり、同様にして各介護室内の被介護者がヘルパーに連絡を取ったり、その逆にヘルパーが被介護者に連絡を取ったりするためにナースコールシステムが用いられている。
【０００３】
この種のナースコールシステムは、図１８に示すように、ナースセンタＮに設置されるナースコール親機１０（以下、「親機１０」と称する。）と、トイレ１２や浴室１４、および各病室２１〜２ｎのベッド毎に設置される子機とから構成されている。
【０００４】
各子機１６の構成は、図１９に示すように、コード１７を介して、呼出ボタン１８を有するナースコール呼出装置２０（以下、「呼出装置２０」と称する。）が接続されている。また、図２０に示すように、呼出ボタン１８を有する呼出装置２０が子機１６と一体化されて壁に固定されているタイプのものもある。
【０００５】
何れの構成の子機１６の場合であっても、患者または被看護者３０が呼出ボタン１８を操作した場合に、呼出装置２０から親機１０へ呼出信号が送信され、親機１０から呼出音を発生させたり、呼出元の子機１６を表すアイコンを変色表示させたり、表示灯を点滅または点灯させることにより呼出の発生が報知され、さらに呼出元の患者または被看護者３０の氏名や属性等が親機１０の表示器から表示される。
【０００６】
これによって看護師やヘルパーは、呼出があった場合には、ナースセンタＮにおいて呼出人を認識することができる（例えば、特許文献１を参照。）。
【特許文献１】特許第２８８７５５２号公報
【発明の開示】
【発明が解決しようとする課題】
【０００７】
しかしながら、このような従来のナースコールシステムでは、以下のような問題がある。
【０００８】
すなわち、ナースコールシステムを用いて患者または被看護者３０からなされる呼出には様々な種類がある。例えば、生命に関わるほど極めて重要でかつ緊急性を要する対応を望むものもあれば、さほど緊急を要するものではなく、５分程度以内に看護師やヘルパーが来てくれれば良い程度のものもある。あるいは回診時間の確認や、院内の食事の献立を尋ねる程度のもので１時間程度以内に来てくれれば良い程度のものもある。
【０００９】
このように、ナースコールシステムを用いてなされる呼出には、様々な種類があり、その重要度および緊急度ともに千差万別である。
【００１０】
しかしながら、一旦子機１６から親機１０に対して呼出がなされてしまうと、その重要度や緊急度の内容に関わらず、親機１０からは一様に呼出報知がなされてしまう。親機１０と呼出元の子機１６とは通話が可能であるので、看護師はこの通話機能を使用して呼出人の要求を聞き出すことができ、その上で重要度や緊急度を確認することはできる。しかしながら、忙しくて時間に余裕がない場合や、手が離せない作業に取りかかっているときに、このような確認作業を行っていては途中の作業が中断されてしまい効率が悪くなる。
【００１１】
したがって、さほど緊急を要しない内容の呼出については、このような通話機能を使用した確認作業をいちいち行わずとも、親機１０側で把握できれば、それが便利であることは言うまでもない。
【００１２】
一方、患者や被看護者３０にとっても、本音は呼出をしたいにもかかわらず、さほど重要でない内容であり、敢えて呼出をするのも気が引けるので、呼出をせずに遠慮している場合がある。しかしながら、上述したように、さほど緊急を要しない内容の呼出については、親機１０側と通話することなくとも、呼出をした時点で親機１０側がそれを把握してくれるとわかっていれば、このような遠慮はなくなり、より利便性を感じることができることも言うまでもない。
【００１３】
本発明はこのような事情に鑑みてなされたものであり、通常の呼出である通常呼出と、緊急を要さないついで呼出とを区別して行うことができ、通常呼出を行った場合にのみ親機に報知し、ついで呼出を行った場合には廊下灯のみを点灯させるようにし、もって、看護師やヘルパーの作業効率の向上を図ることが可能なナースコール呼出装置およびそれを適用したナースコールシステムを提供することを目的とする。
【課題を解決するための手段】
【００１４】
上記の目的を達成するために、本発明では、以下のような手段を講じる。
【００１５】
すなわち、請求項１の発明は、病院内のナースセンタに設けられた親機と、病院内の各病室に設けられ、親機への呼出を行うことが可能な複数の子機とを備えたナースコールシステムにおいて、各子機に、通常呼出を行う第１の呼出釦と、ついで呼出を行う第２の呼出釦とを備えている。また、親機に、第１の呼出釦が操作され通常呼出がなされた場合には呼出音を発生する呼出音発生手段と、第１の呼出釦が操作され通常呼出がなされた場合には点灯または点滅する呼出表示灯とを備えている。更に、病院内の廊下であって各病室の出入口近傍に設けられ、対応する病室に設けられた子機から通常呼出がなされた場合には第１の点灯パターンで点灯し、ついで呼出がなされた場合には第１の点灯パターンとは異なる第２の点灯パターンで点灯する廊下灯を備えている。
【００１６】
請求項２の発明は、病院内のナースセンタに設けられた親機と、病院内の各病室に設けられ、親機への呼出を行う複数の子機とを備えたナースコールシステムにおいて、各子機に、予め定められた第１の方向に押圧された場合には通常呼出を行い、予め定められた第２の方向に押圧された場合にはついで呼出を行う呼出釦を備えている。また、親機に、通常呼出がなされた場合には呼出音を発生する呼出音発生手段と、通常呼出がなされた場合には点灯または点滅する呼出表示灯とを備えている。更に、病院内の廊下であって各病室の出入口近傍に設けられ、対応する病室に設けられた子機から通常呼出がなされた場合には第１の点灯パターンで点灯し、子機からついで呼出がなされた場合には第１の点灯パターンとは異なる第２の点灯パターンで点灯する廊下灯を備えている。
【００１７】
請求項３の発明は、病院内のナースセンタに設けられた親機と、病院内の各病室に設けられ、親機への呼出を行う複数の子機とを備えたナースコールシステムにおいて、各子機に、予め定められた第１のストローク押し下げられた場合には通常呼出を行い、予め定められた第２のストローク押し下げられた場合にはついで呼出を行う呼出釦を備えている。また、親機に、通常呼出がなされた場合には呼出音を発生する呼出音発生手段と、通常呼出がなされた場合には点灯または点滅する呼出表示灯とを備えている。更に、病院内の廊下であって各病室の出入口近傍に設けられ、対応する病室に設けられた子機から通常呼出がなされた場合には第１の点灯パターンで点灯し、ついで呼出がなされた場合には第１の点灯パターンとは異なる第２の点灯パターンで点灯する廊下灯を備えている。
【００１８】
請求項４の発明は、請求項１乃至３のうち何れか１項の発明のナースコールシステムにおいて、廊下灯が第２の点灯パターンで点灯している状態で、この廊下灯に対応する病室に設けられた子機から通常呼出がなされた場合には、第２の点灯パターンに代えて第１の点灯パターンで廊下灯を点灯させるようにしている。
【００１９】
請求項５の発明は、病院内のナースセンタに設けられ表示灯とスピーカとを備えた親機と、病院内の各病室に設けられ、親機への呼出を行うことが可能な複数の子機と、病院内の廊下であって各病室の出入口近傍に設けられ、対応する病室に設けられた子機から呼出がなされた場合には点灯する廊下灯とを備えたナースコールシステムに適用され、呼出を行うために各子機に備えられた呼出装置であって、通常呼出を行う第１の呼出釦と、ついで呼出を行う第２の呼出釦とを備えている。また、第１の呼出釦が操作されると、スピーカから呼出音を発生させ、表示灯を点灯または点滅させ、廊下灯を第１の点灯パターンで点灯させる通常呼出信号を生成する第１の信号生成手段と、第２の呼出釦が操作されると、廊下灯を第１の点灯パターンとは異なる第２の点灯パターンで点灯させるついで呼出信号を生成する第２の信号生成手段とを備えている。更に、第１の信号生成手段で生成された通常呼出信号を親機および対応する廊下灯へと出力し、第２の信号生成手段で生成されたついで呼出信号を対応する廊下灯へと出力する信号出力手段を備えている。
【００２０】
請求項６の発明は、病院内のナースセンタに設けられ表示灯とスピーカとを備えた親機と、病院内の各病室に設けられ、親機への呼出を行うことが可能な複数の子機と、病院内の廊下であって各病室の出入口近傍に設けられ、対応する病室に設けられた子機から呼出がなされた場合には点灯する廊下灯とを備えたナースコールシステムに適用され、呼出を行うために各子機に備えられた呼出装置であって、呼出を行う呼出釦を備えている。また、呼出釦が予め定められた第１の方向に押圧された場合には、スピーカから呼出音を発生させ、表示灯を点灯または点滅させ、廊下灯を第１の点灯パターンで点灯させる通常呼出信号を生成する第１の信号生成手段と、呼出釦が予め定められた第２の方向に押圧された場合には、廊下灯を第１の点灯パターンとは異なる第２の点灯パターンで点灯させるついで呼出信号を生成する第２の信号生成手段とを備えている。更に、第１の信号生成手段で生成された通常呼出信号を親機および対応する廊下灯へと出力し、第２の信号生成手段で生成されたついで呼出信号を対応する廊下灯へと出力する信号出力手段を備えている。
【００２１】
請求項７の発明は、病院内のナースセンタに設けられ表示灯とスピーカとを備えた親機と、病院内の各病室に設けられ、親機への呼出を行うことが可能な複数の子機と、病院内の廊下であって各病室の出入口近傍に設けられ、対応する病室に設けられた子機から呼出がなされた場合には点灯する廊下灯とを備えたナースコールシステムに適用され、呼出を行うために各子機に備えられた呼出装置であって、呼出を行う呼出釦を備えている。また、呼出釦が予め定められた第１のストローク押し下げられた場合には、スピーカから呼出音を発生させ、表示灯を点灯または点滅させ、廊下灯を第１の点灯パターンで点灯させる通常呼出信号を生成する第１の信号生成手段と、呼出釦が予め定められた第２のストローク押し下げられた場合には、廊下灯を第１の点灯パターンとは異なる第２の点灯パターンで点灯させるついで呼出信号を生成する第２の信号生成手段とを備えている。更に、第１の信号生成手段で生成された通常呼出信号を親機および対応する廊下灯へと出力し、第２の信号生成手段で生成されたついで呼出信号を対応する廊下灯へと出力する信号出力手段を備えている。
【００２２】
請求項８の発明は、請求項５乃至７のうち何れか１項の発明のナースコール呼出装置において、廊下灯が第２の点灯パターンで点灯している状態で、この廊下灯に対応する病室に設けられた子機の信号出力手段から通常呼出信号が出力された場合には、第２の点灯パターンに代えて第１の点灯パターンで廊下灯を点灯させるようにしている。
【００２３】
したがって、上記したような本発明のナースコール呼出装置およびそれを適用したナースコールシステムにおいては、通常の呼出については従来技術と同様に親機および廊下灯に呼出があったことを報知することができるのに加え、さほど緊急を要しない内容の呼出については子機側でついで呼出を行うことによって、親機側には呼出が報知されず、廊下灯からのみに呼出があったことが報知される。
【００２４】
これによって、ついで呼出があった場合には、ナースセンタにいる看護師やヘルパーの作業を中断させることなく、廊下を歩行中の看護師やヘルパーが手の空いているときに呼出に応じることができるようになることから、子機側からの通常呼出に対する応答機能の低下をもたらすことなく、ナースセンタにいる看護師やヘルパーの作業性の向上を図ることができる。
【発明の効果】
【００２５】
本発明のナースコール呼出装置およびナースコールシステムによれば、通常の呼出である通常呼出と、緊急を要さないついで呼出とを区別して行うことができ、通常呼出を行った場合にのみ親機に報知し、ついで呼出を行った場合には廊下灯のみを点灯させるようにすることができる。
【００２６】
これによって、ついで呼出があった場合には、ナースセンタにいる看護師やヘルパーの作業を中断させることなく、廊下を歩行中の看護師やヘルパーが手の空いているときに呼出に応じることができるようになることから、子機側からの通常呼出に対する応答性の低下をもたらすことなく、ナースセンタにいる看護師やヘルパーの作業性の向上を図ることが可能となる。
【発明を実施するための最良の形態】
【００２７】
以下に、本発明を実施するための最良の形態について図面を参照しながら説明する。
【００２８】
なお、以下の各実施例の説明に用いる図中の符号は、図１８乃至図２０と同一部分については同一符号を付して示すことにする。
【実施例１】
【００２９】
本発明の実施例１を図１から図１０を用いて説明する。
【００３０】
図１は、実施例１に係るナースコール呼出装置を適用したナースコールシステムの一例を示す概略構成図である。なお、ここでは病院に設置される看護支援用のナースコールシステムを例にとって説明するが、本発明のナースコール呼出装置、およびこれを適用したナースコールシステムは、勿論病院に設置されるものに限定されるものではなく、介護施設等に設置される場合にも適用可能である。
【００３１】
ナースコールシステムは、各病室２１〜２ｎにそれぞれ設置される各室ユニット３１〜３ｎと、ナースセンタＮに設置されるセンタ装置としてのナースコール親機１０（以下、「親機１０」と称する。）とを備え、これらの各室ユニット３１〜３ｎと親機１０との間はそれぞれ通信線路を介して接続される。またナースコールシステムは、例えば病院内の通信センタに設置されるハンディナースコール主装置３および構内交換機（ＰＢＸ：Private Branch Exchange）４を備え、ハンディナースコール主装置３には無線ユニット６が接続され、またＰＢＸ４は公衆網５に接続される。
【００３２】
さらに、親機１０は、例えばＬＡＮ（Local Area Network）７ａを介して看護支援サーバ８に接続される。看護支援サーバ８は、看護支援のための種々情報を記憶し管理する。なお、９は看護支援サーバ８に記憶されたデータをプリントアウトするために使用されるプリンタ、７ｂは看護支援サーバ８およびプリンタ９をＬＡＮ７ａに接続するためのハブである。
【００３３】
各室ユニット３１〜３ｎは、病室の天井等に設置されたマイクロホン３０１およびスピーカ３０２と、トイレ１２および浴室１４に設けられたナースコール呼出装置（以下、「呼出装置」と称する。）２０ａと、代表廊下灯３０４と、復旧ボタン３０５とを備え、これらはＩ／Ｏユニット３０６を介して個別情報廊下灯３０７に接続される。また各室ユニット３１〜３ｎは、廊下または病室内に呼出装置２０ｂ、およびこの呼出装置２０ｂの機能が組み込まれたハンド型子機３０９を備え、これらは壁に設けられた壁埋め込み型子機３０８に接続端子３１２を介して接続される。このように接続端子３１２を介して壁埋め込み型子機３０８に接続されたハンド型子機３０９および呼出装置２０ａは、壁埋め込み型子機３０８を介して個別情報廊下灯３０７に接続される。
【００３４】
なお、呼出装置２０ａと呼出装置２０ｂとは同一の構成をしており、外形図の一例を図２に示す。図３は、呼出装置２０の一例を示す機能ブロック図である。また、このような呼出装置２０の機能が組み込まれたハンド型子機３０９の外形図の一例を図４に示す。
【００３５】
すなわち、呼出装置２０は、通常呼出釦２０１と、ついで呼出釦２０２と、確認灯２０３と、通常信号生成部２０４と、ついで信号生成部２０５と、信号出力部２０６とを備えている。同様に、呼出装置２０の機能が組み込まれたハンド型子機３０９もまた、親機１０との通話を行うための通話部３１１に加えて、通常呼出釦２０１と、ついで呼出釦２０２と、確認灯２０３と、通常信号生成部２０４と、ついで信号生成部２０５と、信号出力部２０６とを備えている。
【００３６】
通常呼出釦２０１は、親機１０に対して通常呼出を行うとともに、代表廊下灯３０４（呼出装置２０ａの通常呼出釦２０１からの呼出の場合）または個別情報廊下灯３０７（呼出装置２０ｂの通常呼出釦２０１からの呼出の場合）を点灯させるための釦である。この通常呼出釦２０１は、呼出人によって押し下げられると、動作信号を確認灯２０３および通常信号生成部２０４へと出力する。
【００３７】
ついで呼出釦２０２は、親機１０に対する呼出を行わずに、呼出人が代表廊下灯３０４（呼出装置２０ａの通常呼出釦２０１からの呼出の場合）または個別情報廊下灯３０７（呼出装置２０ｂの通常呼出釦２０１からの呼出の場合）を点灯させることによってついで呼出を行うための釦である。ついで呼出釦２０２は、呼出人によって押し下げられると、動作信号を確認灯２０３およびついで信号生成部２０５へと出力する。
【００３８】
ここで、通常呼出とは、従来技術で説明したナースコールが既に備えている機能であり、親機１０から呼出音を発生させたり、呼出元の子機１６を表すアイコンを変色表示させたり、表示灯を点滅または点灯させることにより呼出の発生を報知することにより、看護師の対応を即要求するものを指している。それに対し、ついで呼出とは、緊急を要さない呼出を指している。
【００３９】
確認灯２０３は、通常呼出釦２０１またはついで呼出釦２０２から動作信号が出力されると点灯する。これによって、通常呼出釦２０１またはついで呼出釦２０２が押し下げられることによって動作信号が発せられたことを呼出人が確認できるようにしている。
【００４０】
通常信号生成部２０４は、通常呼出釦２０１から出力された動作信号を取得すると、自己の呼出装置２０に予め付されたアドレス番号をこの動作信号に付加して通常呼出信号を生成し、生成した通常呼出信号を信号出力部２０６へと出力する。
【００４１】
ついで信号生成部２０５は、ついで呼出釦２０２から出力された動作信号を取得すると、ついで呼出信号を生成し、生成したついで呼出信号を信号出力部２０６へと出力する。
【００４２】
信号出力部２０６は、通常信号生成部２０４から通常呼出信号が出力されると、この通常呼出信号を、廊下灯および親機１０へと出力する。また、ついで信号生成部２０５からついで呼出信号が出力されると、ついで呼出信号を、廊下灯へと出力する。
【００４３】
具体的には、呼出装置２０ａの信号出力部２０６の場合は、通常信号生成部２０４から通常呼出信号が出力されると、この通常呼出信号を、Ｉ／Ｏユニット３０６を介して代表廊下灯３０４へ出力するとともに、Ｉ／Ｏユニット３０６および個別情報廊下灯３０７を介して親機１０へと出力する。また、ついで信号生成部２０５からついで呼出信号が出力されると、ついで呼出信号を、Ｉ／Ｏユニット３０６を介して代表廊下灯３０４へと出力する。
【００４４】
一方、呼出装置２０ｂの信号出力部２０６の場合は、通常信号生成部２０４から通常呼出信号が出力されると、この通常呼出信号を、壁埋め込み型子機３０８を介して個別情報廊下灯３０７へ、更に個別情報廊下灯３０７を介して親機１０へとそれぞれ出力する。また、ついで信号生成部２０５からついで呼出信号が出力されると、ついで呼出信号を、壁埋め込み型子機３０８を介して個別情報廊下灯３０７へと出力する。
【００４５】
Ｉ／Ｏユニット３０６は、呼出装置２０ａの信号出力部２０６から出力された通常呼出信号を取得すると、この通常呼出信号を代表廊下灯３０４、および個別情報廊下灯３０７を介して親機１０へとそれぞれ出力する。また、呼出装置２０ａの信号出力部２０６からついで呼出信号を取得すると、ついで呼出信号を代表廊下灯３０４へと出力する。
【００４６】
壁埋め込み型子機３０８は、呼出装置２０ｂの信号出力部２０６から出力された通常呼出信号を取得すると、この通常呼出信号を個別情報廊下灯３０７、更に個別情報廊下灯３０７を介して親機１０へとそれぞれ出力する。また、呼出装置２０ｂの信号出力部２０６からついで呼出信号を取得すると、ついで呼出信号を個別情報廊下灯３０７へと出力する。
【００４７】
代表廊下灯３０４および個別情報廊下灯３０７は、通常呼出信号が出力されると、予め定められた通常点灯パターンで点灯する。また、ついで呼出信号が出力されると、予め定められたついで点灯パターンで点灯する。なお、通常点灯パターンと、ついで点灯パターンとは異なるものとしている。例えば、通常点灯パターンとしては点滅表示させるようにし、ついで点灯パターンとしては点滅させず点灯させるようにする。あるいは、いずれの場合も周期的に点灯と点滅とを繰り返すものとし、点灯／点滅の周期を通常点灯パターンとついで点灯パターンとで変えるようにする。
【００４８】
これによって、看護師は、代表廊下灯３０４または個別情報廊下灯３０７が点灯している場合には、点灯パターンを確認することによって、通常呼出によるものなのか、ついで呼出によるものかを把握できるようにしている。
【００４９】
なお、上述したようについで呼出は、緊急性を要しない呼出であるので、ついで呼出による代表廊下灯３０４または個別情報廊下灯３０７は、比較的長い時間点灯されたままになる場合もある。このようについで点灯パターンで点灯されたままの状態で通常呼出信号が出力された場合には、ついで点灯パターンに代わって、通常点灯パターンで点灯する。このように通常呼出信号を優先しているのは、通常呼出はついで呼出よりも緊急性が高いことと、通常呼出に応じて看護師が該病室に赴けば、いずれにせよついで呼出を行った呼出人は、この際にこの看護婦に用事を伝えることができるからである。
【００５０】
マイクロホン３０１とスピーカ３０２、ハンド型子機３０９および壁埋め込み型子機３０８は、患者が呼出に対し親機１０から応答した看護師と通話するために使用するもので、その通話信号は通話路を介して親機１０へ送信される。通話路は、親機１０において看護師が患者の呼出に対し応答操作することにより確立される。なお、復旧ボタン３０５は上記呼出をリセットする場合に使用される。
【００５１】
ハンディナースコール主装置３は、例えば構内ＰＨＳ（Personal Handyphone System）対応の交換装置からなるもので、交換制御部やタイムスイッチの他に、複数の内線インタフェースと、局線インタフェースと、保守インタフェースとを備える。内線インタフェースにはそれぞれ無線ユニット６の無線基地局６１，６２が接続される。無線基地局６１，６２はそれぞれ無線エリアを形成し、この無線エリア内に存在する携帯端末７１〜７ｍとの間で無線回線を介して接続される。局線インタフェースにはＰＢＸ４が接続される。
【００５２】
ところで、親機１０は次のように構成される。図５はその機能構成例を示すブロック図である。  
すなわち、親機１０は、制御部として例えばマイクロコンピュータを使用する中央処理ユニット（ＣＰＵ）１００を備える。このＣＰＵ１００には、プログラムメモリ１０１およびデータメモリ１０２が接続されており、さらに通信インタフェース１０３，１０４と、ネットワークインタフェース１０５と、通話インタフェース１０６と、入力表示インタフェース１０７がそれぞれ接続されている。
【００５３】
このうち通信インタフェース１０３は、ＣＰＵ１００の制御の下、各室ユニット３１〜３ｎとの間で信号の伝送を行う。同様に通信インタフェース１０４は、ＣＰＵ１００の制御の下、ハンディナースコール主装置３との間で信号の送受信を行う。ネットワークインタフェース１０５は、ＣＰＵ１００の制御の下、ＬＡＮ７ａとの間で信号の送受信を行う。
【００５４】
通話インタフェース１０６には、看護師が患者との間で通話を行うために使用するマイクロホン１０８およびスピーカ１０９が接続されている。通話インタフェース１０６は、各室ユニット３１〜３ｎとの間に通話路が形成された状態で、マイクロホン１０８から出力された話者の通話信号を符号化してＣＰＵ１００へ出力すると共に、ＣＰＵ１００から供給された受話データを復号して受話信号を再生し、この受話信号をスピーカ１０９から拡声出力する。またスピーカ１０９は、患者から呼出が発生した時に鳴音やメロディを出力する際にも使用される。
【００５５】
入力表示インタフェース１０７には、タッチパネル／表示器１１０が接続される。タッチパネル／表示器１１０は、例えばＣＲＴまたはＬＣＤからなる表示器の表示画面上に透明感圧シートを貼付したもので、情報の表示機能と入力機能とを併せ持っている。入力表示インタフェース１０７は、ＣＰＵ１００から供給された表示情報をタッチパネル／表示器１１０に表示すると共に、タッチパネル／表示器１１０において入力された操作情報をＣＰＵ１００に供給する。
【００５６】
データメモリ１０２には、本実施例に係る情報を記憶するデータベースとして、患者データベース１０２ａと呼出装置データベース１０２ｂとを設けている。患者データベース１０２ａは、その一例を図６に示すように、患者毎の氏名、性別、生年月日、患者番号、診察番号、病室、ベッド番号、救護区分、要介護状態区分、入院日、病状、緊急連絡先等の情報を格納している。呼出装置データベース１０２ｂは、その一例を図７に示すように、各呼出装置２０に付されたアドレス番号と、その設置部屋、およびベッド番号とを格納している。トイレ１２や浴室１４のように部屋に１つしか呼出装置２０を備えない場所についてはベッド番号の登録は不要である。これらデータの入力、削除、修正は、タッチパネル／表示器１１０からデータを表示させながら、タッチパネル／表示器１１０の入力機能を用いることによって行う。
【００５７】
プログラムメモリ１０１には、本実施例に係るコールセンタシステムを実現するためのプログラムである呼出処理プログラム１０１ａを格納している。呼出処理プログラム１０１ａは、例えば磁気ディスク等の記憶媒体から読み出されたり、あるいはインターネット等の通信ネットワークを介してダウンロードされ、プログラムメモリ１０１に格納される。本コールセンタシステムは、この呼出処理プログラム１０１ａによって動作が制御されるＣＰＵ１００によって実現される。
【００５８】
呼出処理プログラム１０１ａは、各室ユニット３１〜３ｎの個別情報廊下灯３０７を介して呼出装置２０ａおよび呼出装置２０ｂから出力された通常呼出信号が、通信インタフェース１０３を介してＣＰＵ１００によって取得されると、通常呼出信号に含まれるアドレス番号を、呼出装置データベース１０２ｂに格納されているアドレス番号と照合することによって、呼出元の呼出装置２０を認識する。これによって、呼出場所を特定する。更に、この呼出場所が、ベッドに備えられた呼出装置２０ｂからである場合にはベッド番号を特定し、特定したベッド番号に基づいて患者データベース１０２ａと照合することにより患者を特定する。
【００５９】
そして、例えば図８に示すように、タッチパネル／表示器１１０から、特定した呼出場所と、ベッド番号と、特定した呼出人の氏名とをあわせて表示する。なお、トイレ１２や浴室１４に備えられた呼出装置２０ａからの通常呼出である場合には、呼出人を特定することはできないので、呼出場所のみを表示する。
【００６０】
また、呼出処理プログラム１０１ａは、各室ユニット３１〜３ｎの個別情報廊下灯３０７を介して呼出装置２０ａおよび呼出装置２０ｂから送信された通常呼出信号が、通信インタフェース１０３を介してＣＰＵ１００によって取得されると、呼出音信号を生成し、通話インタフェース１０６を介してスピーカ１０９へ出力する。これによってスピーカ１０９は、呼出音を発鳴する。
【００６１】
この呼出音によって、ナースセンタＮにいる看護師は、通常呼出があったことを認識するとともに、タッチパネル／表示器１１０に表示された情報を見ることによって呼出場所と、更に場合によっては呼出人を把握することができる。したがって、看護師は、通常呼出があった場合には、速やかに呼出場所に赴くことができる。
【００６２】
また、このような通常呼出がなされた後は、親機１０は呼出元の子機１６との間の通話路を形成し、看護師は、マイクロホン１０８とスピーカ１０９を使うことによって、呼出人は、ハンド型子機３０９や壁埋め込み型子機３０８を使うことによって、互いに通話することもできるようにしている。
【００６３】
次に、以上のように構成した本実施例に係るナースコール呼出装置を適用したナースコールシステムの動作について説明する。
【００６４】
本実施例に係るナースコール呼出装置を適用したナースコールシステムでは、ナースコール呼出装置２０に、親機１０に対して呼出を行うとともに代表廊下灯３０４または個別情報廊下灯３０７を点灯させる通常呼出を行うための通常呼出釦２０１と、親機１０に対しては呼出を行わず、代表廊下灯３０４または個別情報廊下灯３０７を点灯させるついで呼出を行うためのついで呼出釦２０２とが備えられている。
【００６５】
まず、通常呼出時における動作について図９に示すフローチャートを用いて説明する。
【００６６】
呼出人が通常呼出を行う場合には、呼出装置２０の通常呼出釦２０１を押し下げる（Ｓ１）。通常呼出釦２０１が押し下げられると、動作信号が通常信号生成部２０４および確認灯２０３へと出力される。そして、動作信号が出力されると確認灯２０３は点灯する（Ｓ２）ので、この点灯を確認することにより、通常呼出釦２０１から動作信号が出力されたことが、呼出人によって確認される。
【００６７】
一方、通常信号生成部２０４によって動作信号が取得されると、通常信号生成部２０４によって、自己の呼出装置２０に予め付されたアドレス番号が動作信号に付加された通常呼出信号が生成される。そして、この通常呼出信号は信号出力部２０６へ出力される（Ｓ３）。
【００６８】
更に、信号出力部２０６によって、この通常呼出信号が、廊下灯および親機１０へと出力される（Ｓ４）。具体的には、呼出装置２０ａの通常信号生成部２０４から通常呼出信号が出力された場合には、この通常呼出信号は、Ｉ／Ｏユニット３０６を介して代表廊下灯３０４へ出力されるとともに、Ｉ／Ｏユニット３０６および個別情報廊下灯３０７を介して親機１０へと出力される。一方、呼出装置２０ｂの通常信号生成部２０４から通常呼出信号が出力された場合には、この通常呼出信号は、壁埋め込み型子機３０８および個別情報廊下灯３０７を介して親機１０へとそれぞれ出力される。
【００６９】
通常呼出信号が出力された代表廊下灯３０４および個別情報廊下灯３０７は、予め定めた通常点灯パターンで点灯される（Ｓ５）。通常点灯パターンは、ついで点灯パターンとの識別が可能なように定められている。したがって、看護師は、通常点灯パターンを見ることによって、通常呼出があったものと認識し、呼出場所へすぐに行くことができる。
【００７０】
一方、親機１０へ出力された通常呼出信号は、通信インタフェース１０３を介してＣＰＵ１００によって取得される。すると、呼出処理プログラム１０１ａによって呼出音信号が生成され、通話インタフェース１０６を介してスピーカ１０９へと出力される。これによってスピーカ１０９から呼出音が発鳴される（Ｓ６）。
【００７１】
更に呼出処理プログラム１０１ａによって、通常呼出信号に含まれるアドレス番号が、呼出装置データベース１０２ｂに格納されているアドレス番号と照合され、呼出元の呼出装置２０が認識される。これによって、呼出場所が特定される（Ｓ７）。この呼出場所が、ベッドに備えられた呼出装置２０ｂからである場合にはベッド番号が特定され、更に、このベッド番号が患者データベース１０２ａと照合されることにより患者が特定される。
【００７２】
そして、例えば図８に示すように、タッチパネル／表示器１１０から、特定した呼出場所が表示される（Ｓ８）。特定場所に加えて、ベッド番号と、患者とが特定された場合には、特定場所に加えて、ベッド番号と、患者の氏名もあわせて表示される。
【００７３】
ステップＳ６で発鳴された呼出音によって、ナースセンタＮにいる看護師は、通常呼出があったことを認識するとともに、タッチパネル／表示器１１０に表示された情報を見ることによって呼出場所と、更に場合によっては呼出人を把握することができる。したがって、看護師は、通常呼出があった場合には、速やかに呼出場所に赴くことができる。
【００７４】
また、このような通常呼出がなされた後は、親機１０は呼出元の子機１６との間の通話路を形成し、看護師は、マイクロホン１０８とスピーカ１０９を使うことによって、呼出人は、ハンド型子機３０９や壁埋め込み型子機３０８を使うことによって、互いに通話することもできる。
【００７５】
次に、ついで呼出時における動作について図１０に示すフローチャートを用いて説明する。
【００７６】
呼出人がついで呼出を行う場合には、呼出装置２０のついで呼出釦２０２を押し下げる（Ｓ１１）。ついで呼出釦２０２が押し下げられると、動作信号がついで信号生成部２０５および確認灯２０３へと出力される。そして、動作信号が出力されると確認灯２０３は点灯する（Ｓ１２）ので、この点灯を確認することにより、ついで呼出釦２０２から動作信号が出力されたことが、呼出人によって確認される。
【００７７】
一方、ついで信号生成部２０５によって動作信号が取得されると、ついで信号生成部２０５によって、ついで呼出信号が生成される。そして、ついで呼出信号は信号出力部２０６へ出力される（Ｓ１３）。
【００７８】
更に、信号出力部２０６によって、ついで呼出信号が、廊下灯へと出力される（Ｓ１４）。具体的には、呼出装置２０ａのついで信号生成部２０５からついで呼出信号が出力された場合には、ついで呼出信号は、Ｉ／Ｏユニット３０６を介して代表廊下灯３０４へ出力される。一方、呼出装置２０ｂのついで信号生成部２０５からついで呼出信号が出力された場合には、ついで呼出信号は、壁埋め込み型子機３０８を介して個別情報廊下灯３０７へと出力される。
【００７９】
ついで呼出信号が出力された代表廊下灯３０４および個別情報廊下灯３０７は、ついで点灯パターンで点灯される（Ｓ１５）。ついで点灯パターンは、通常点灯パターンとの識別が可能なように定められている。したがって、看護師は、ついで点灯パターンを見ることによって、ついで呼出があったものと認識し、手の空いた時間を見計らって、あるいは何かのついでに呼出場所へ行くことができる。
【００８０】
なお、ついで呼出は、緊急性を要しない呼出であるので、ついで呼出による代表廊下灯３０４または個別情報廊下灯３０７は、比較的長い時間点灯されたままになる場合もある。このようについで点灯パターンで点灯されたままの状態で通常呼出信号が出力された場合には、ついで点灯パターンに代わって、通常点灯パターンで点灯される。
【００８１】
このように、ついで呼出がなされている状態で通常呼出がなされると、ついで呼出をキャンセルし、通常呼出を優先することができるので、ついで呼出よりも緊急性の高い通常呼出に対して失念することはない。なお、ついで呼出は、通常呼出によってキャンセルされても、いずれにせよ該呼出場所には、通常呼出に応じて看護師が来るので、呼出人はその看護師に用事を伝えることができる。
【００８２】
上述したように、本実施例に係るナースコール呼出装置を適用したナースコールシステムにおいては、上記のような作用により、通常呼出と、ついで呼出とを区別して行うことができ、通常呼出を行った場合にのみ親機に報知し、ついで呼出を行った場合には廊下灯のみを点灯させるようにすることができる。
【００８３】
これによって、ついで呼出があった場合には、ナースセンタにいる看護師の作業を中断させることなく、廊下を歩行中の看護師が手の空いているときに呼出に応じることができるようになることから、子機側からの通常呼出に対する応答性の低下をもたらすことなく、ナースセンタにいる看護師の作業性の向上を図ることが可能となる。
【実施例２】
【００８４】
本発明の実施例２を図１１から図１５を用いて説明する。
【００８５】
本実施例に係るナースコール呼出装置を適用したナースコールシステムは、実施例１におけるナースコール呼出装置の一部を変形したものである。したがって、ここでは異なる部分のみについて説明する。
【００８６】
図１１は、図２の呼出装置２０に対応する本実施例に係る呼出装置２０の一例を示す外形図である。また図１２は、図４のハンド型子機３０９に対応する本実施例におけるハンド型子機３０９の一例を示す外形図である。図１１および図１２では、図２および図４と同一部分については同一符号を付している。
【００８７】
すなわち、図１１に示す呼出装置２０は、図２に示す呼出装置２０における通常呼出釦２０１およびついで呼出釦２０２の代わりに通常兼ついで呼出釦２０７を備えた構成としている。通常兼ついで呼出釦２０７は、これ１つで、実施例１における通常呼出釦２０１とついで呼出釦２０２との機能を兼ね備えている。
【００８８】
図１３は、通常兼ついで呼出釦２０７を上面から見た場合の一例を示す平面図である。図１３に示すように、通常兼ついで呼出釦２０７の表面には、図中に示すように「通常呼出」を示す矢印と、「ついで呼出」を示す矢印とを明記している。これは、通常呼出を行うときに押圧する方向と、ついで呼出を行うときに押圧する方向とをそれぞれ示している。
【００８９】
呼出人が通常呼出を行う場合には、「通常呼出」を示す矢印の方向にしたがって通常兼ついで呼出釦２０７を押圧する。すると、図１４（ａ）の立断面図に示すように、通常呼出スイッチ２０８ａがオンとなる。一方、呼出人がついで呼出を行う場合には、「ついで呼出」を示す矢印の方向にしたがって通常兼ついで呼出釦２０７を押圧する。すると、図１４（ｂ）の立断面図に示すように、ついで呼出スイッチ２０８ｂがオンとなる。
【００９０】
また、図１５は、本実施例に係る呼出装置２０の構成例を示す機能ブロック図である。すなわち、本実施例に係る呼出装置２０の構成は、図３と比較してわかるように、通常呼出釦２０１とついで呼出釦２０２との代わりに通常兼ついで呼出釦２０７を備え、この呼出釦２０７と通常信号生成部２０４と間に通常呼出スイッチ２０８ａを、この呼出釦２０７とついで信号生成部２０５との間についで呼出スイッチ２０８ｂをそれぞれ介挿して備えた構成としている。更に、確認灯２０３には通常呼出スイッチ２０８ａおよびついで呼出スイッチ２０８ｂから動作信号が入力されるようにしている。
【００９１】
図１４（ａ）に示すように通常呼出スイッチ２０８ａがオンになると、通常呼出スイッチ２０８ａは、通常信号生成部２０４および確認灯２０３へと動作信号を出力する。また、図１４（ｂ）に示すようについで呼出スイッチ２０８ｂがオンになると、ついで呼出スイッチ２０８ｂは、ついで信号生成部２０５および確認灯２０３へと動作信号を出力する。
【００９２】
このようにして動作信号が出力された通常信号生成部２０４、ついで信号生成部２０５、および確認灯２０３は、実施例１で説明したと同様にして動作する。
【００９３】
本実施例に係るナースコール呼出装置を適用したナースコールシステムは、上述したように、呼出釦としては通常兼ついで呼出釦２０７のみしか備えていないが、釦を押圧する方向によって通常呼出とついで呼出とを区別して呼び出すことができる。これによって、呼出装置２０やハンド型子機３０９の構成を簡素化しつつ実施例１と同様の作用効果を奏することができる。
【実施例３】
【００９４】
本発明の実施例３を図１６から図１７を用いて説明する。
【００９５】
本実施例に係るナースコール呼出装置を適用したナースコールシステムは、実施例２におけるナースコール呼出装置の一部を変形したものである。したがって、ここでは異なる部分のみについて説明する。
【００９６】
本実施例に係る呼出装置２０の一例を示す外形図は実施例２で説明した図１１に示す通りである。また、本実施例に係る呼出装置２０の機能を搭載したハンド型子機３０９の一例を示す外形図もまた実施例２で説明した図１２に示す通りである。更に、本実施例に係る呼出装置２０の構成例を示す機能ブロック図もまた実施例２で説明した図１５の通りである。
【００９７】
また、図１６および図１７は、通常兼ついで呼出釦２０７の構成を示す部分立断面図である。図１６は、図１１に示す呼出装置２０に適用された通常兼ついで呼出釦２０７に対応し、図１７は、図１２に示すハンド型子機３０９に適用された通常兼ついで呼出釦２０７に対応している。
【００９８】
図１６（ａ）および図１７（ａ）は、通常兼ついで呼出釦２０７が押し下げられていない状態を示している。そして、呼出人がついで呼出を行う場合には、図１６（ｂ）および図１７（ｂ）に示すように通常兼ついで呼出釦２０７を半分程度押し下げる。これによって、ついで呼出スイッチ２０８ｂがオンされるようにしている。
【００９９】
更に、呼出人が図１６（ｃ）および図１７（ｃ）に示すように、通常兼ついで呼出釦２０７を完全に押し下げると、通常呼出スイッチ２０８ａがオンされるようにしている。
【０１００】
なお、この逆に、図１６（ｂ）および図１７（ｂ）に示すように通常兼ついで呼出釦２０７を半分程度押し下げた場合に、通常呼出スイッチ２０８ａがオンされ、図１６（ｃ）および図１７（ｃ）に示すように通常兼ついで呼出釦２０７を完全に押し下げた場合に、ついで呼出スイッチ２０８ｂがオンされるようにしても良い。
【０１０１】
通常呼出スイッチ２０８ａがオンになると、通常呼出スイッチ２０８ａは、通常信号生成部２０４および確認灯２０３へと動作信号を出力する。また、呼出スイッチ２０８ｂがオンになると、ついで呼出スイッチ２０８ｂは、ついで信号生成部２０５および確認灯２０３へと動作信号を出力する。
【０１０２】
このようにして動作信号が出力された通常信号生成部２０４、ついで信号生成部２０５、および確認灯２０３は、実施例１で説明したと同様にして動作する。
【０１０３】
本実施例に係るナースコール呼出装置を適用したナースコールシステムは、上述したように、呼出釦としては通常兼ついで呼出釦２０７のみしか備えていないが、釦を押し下げるストロークの量によって通常呼出とついで呼出とを区別して呼び出すことができる。これによって、呼出装置２０やハンド型子機３０９の構成を簡素化しつつ実施例１と同様の作用効果を奏することができる。
【実施例４】
【０１０４】
本実施例に係るナースコール呼出装置を適用したナースコールシステムは、実施例３におけるナースコール呼出装置の一部を変形したものである。したがって、ここでは異なる部分のみについて説明する。
【０１０５】
本実施例に係る呼出装置２０の一例を示す外形図は実施例２で説明した図１１に示す通りである。また、本実施例に係る呼出装置２０の機能を搭載したハンド型子機３０９の一例を示す外形図もまた実施例２で説明した図１２に示す通りである。更に、本実施例に係る呼出装置２０の構成例を示す機能ブロック図もまた実施例２で説明した図１５の通りである。
【０１０６】
このように、本実施例では、呼出装置２０およびこの機能を搭載したハンド型子機３０９は、通常兼ついで呼出釦２０７を備えている。そして、この通常兼ついで呼出釦２０７の押し下げ時間によって、通常呼出と、ついで呼出とを区別するようにしている。
【０１０７】
すなわち、呼出人が、図１６（ａ）および図１７（ａ）のように通常兼ついで呼出釦２０７が押し下げられていない状態から、図１６（ｃ）および図１７（ｃ）に示すように通常兼ついで呼出釦２０７を押し下げると、通常呼出スイッチ２０８ａがオンされるようにしている。
【０１０８】
しかしながら、呼出人が、図１６（ｃ）および図１７（ｃ）に示すように、通常兼ついで呼出釦２０７を押し下げた状態を、所定時間以上（例えば３秒以上）継続すると、通常呼出スイッチ２０８ａがキャンセルされ、ついで呼出スイッチ２０８ｂがオンされるようにしている。
【０１０９】
なお、この逆に、まず通常兼ついで呼出釦２０７を押し下げるとついで呼出スイッチ２０８ｂがオンされ、通常兼ついで呼出釦２０７を押し下げた状態を、所定時間以上（例えば３秒以上）継続すると、ついで呼出スイッチ２０８ｂがキャンセルされ、通常呼出スイッチ２０８ｂａオンされるようにしても良い。
【０１１０】
通常呼出スイッチ２０８ａがオンになると、通常呼出スイッチ２０８ａは、通常信号生成部２０４および確認灯２０３へと動作信号を出力する。また、呼出スイッチ２０８ｂがオンになると、ついで呼出スイッチ２０８ｂは、ついで信号生成部２０５および確認灯２０３へと動作信号を出力する。
【０１１１】
このようにして動作信号が出力された通常信号生成部２０４、ついで信号生成部２０５、および確認灯２０３は、実施例１で説明したと同様にして動作する。
【０１１２】
本実施例に係るナースコール呼出装置を適用したナースコールシステムは、上述したように、呼出釦としては通常兼ついで呼出釦２０７のみしか備えていないが、釦の押し下げ時間によって通常呼出とついで呼出とを区別して呼び出すことができる。これによって、呼出装置２０やハンド型子機３０９の構成を簡素化しつつ実施例１と同様の作用効果を奏することができる。
【実施例５】
【０１１３】
本実施例に係るナースコール呼出装置を適用したナースコールシステムは、実施例４におけるナースコール呼出装置の一部を変形したものであり、通常兼ついで呼出釦２０７の押し下げ時間によって、通常呼出と、ついで呼出とを区別するようにしている。したがって、ここでは異なる部分のみについて説明する。
【０１１４】
本実施例では、呼出人が、図１６（ａ）および図１７（ａ）のように通常兼ついで呼出釦２０７が押し下げられていない状態から、図１６（ｃ）および図１７（ｃ）に示すように通常兼ついで呼出釦２０７を押し下げると、呼出装置２０が呼出保留乃至監視状態になるようにしている。呼出保留乃至監視状態は所定時間（例えば、３秒間）継続し、通常呼出スイッチ２０８ａおよびついで呼出スイッチ２０８ｂともにオンされることはないが、この所定時間内に通常兼ついで呼出釦２０７が再度押し下げられると、その押し下げ時間によって、通常呼出スイッチ２０８ａまたはついで呼出スイッチ２０８ｂがオンされるようにしている。所定時間を経過した後に通常兼ついで呼出釦２０７が押し下げられた場合には、呼出保留乃至監視状態となる。
【０１１５】
すなわち、呼出保留乃至監視状態において通常兼ついで呼出釦２０７を押し下げると、通常呼出スイッチ２０８ａがオンされ、通常兼ついで呼出釦２０７が押し下げられた状態を、所定時間以上（例えば３秒以上）継続すると、通常呼出スイッチ２０８ａがキャンセルされ、ついで呼出スイッチ２０８ｂがオンされるようにしている。
【０１１６】
なお、この逆に、呼出保留乃至監視状態において通常兼ついで呼出釦２０７を押し下げると先ずついで呼出スイッチ２０８ｂがオンされ、通常兼ついで呼出釦２０７を押し下げた状態を、所定時間以上（例えば３秒以上）継続すると、ついで呼出スイッチ２０８ｂがキャンセルされ、通常呼出スイッチ２０８ｂａオンされるようにしても良い。
【０１１７】
通常呼出スイッチ２０８ａがオンになると、通常呼出スイッチ２０８ａは、通常信号生成部２０４および確認灯２０３へと動作信号を出力する。また、呼出スイッチ２０８ｂがオンになると、ついで呼出スイッチ２０８ｂは、ついで信号生成部２０５および確認灯２０３へと動作信号を出力する。
【０１１８】
このようにして動作信号が出力された通常信号生成部２０４、ついで信号生成部２０５、および確認灯２０３は、実施例１で説明したと同様にして動作する。
【０１１９】
本実施例に係るナースコール呼出装置を適用したナースコールシステムは、通常呼出およびついで呼出の何れも行う場合であっても、まず通常兼ついで呼出釦２０７を押し下げて呼出保留乃至監視状態とした後に、通常兼ついで呼出釦２０７をもう一度押し下げる必要がある。これによって、誤呼出を阻止しつつ、実施例４と同様の作用効果を奏することができる。
【実施例６】
【０１２０】
本実施例に係るナースコール呼出装置を適用したナースコールシステムは、実施例３におけるナースコール呼出装置の一部を変形したものである。したがって、ここでは異なる部分のみについて説明する。
【０１２１】
本実施例に係る呼出装置２０の一例を示す外形図は実施例２で説明した図１１に示す通りである。また、本実施例に係る呼出装置２０の機能を搭載したハンド型子機３０９の一例を示す外形図もまた実施例２で説明した図１２に示す通りである。更に、本実施例に係る呼出装置２０の構成例を示す機能ブロック図もまた実施例２で説明した図１５の通りである。
【０１２２】
このように、本実施例では、呼出装置２０およびこの機能を搭載したハンド型子機３０９は、通常兼ついで呼出釦２０７を備えている。そして、この通常兼ついで呼出釦２０７の押し下げ回数によって、通常呼出と、ついで呼出とを区別するようにしている。
【０１２３】
すなわち、呼出人が、図１６（ａ）および図１７（ａ）のように通常兼ついで呼出釦２０７が押し下げられていない状態から、図１６（ｃ）および図１７（ｃ）に示すように通常兼ついで呼出釦２０７を１回押し下げると、通常呼出スイッチ２０８ａがオンされるようにしている。
【０１２４】
しかしながら、呼出人が、図１６（ｃ）および図１７（ｃ）に示すような通常兼ついで呼出釦２０７の押し下げを、所定時間（例えば１秒）以内に２回以上行った場合には、通常呼出スイッチ２０８ａがキャンセルされ、ついで呼出スイッチ２０８ｂがオンされるようにしている。通常兼ついで呼出釦２０７を２回押し下げた場合であっても、１回目の押し下げ時から所定時間（例えば１秒）を経過した後に２回目の押し下げを行っても、ついで呼出スイッチ２０８ｂはオンされず、通常呼出スイッチ２０８ａが２回オンされる。
【０１２５】
なお、この逆に、通常兼ついで呼出釦２０７を１回押し下げるとついで呼出スイッチ２０８ｂがオンされ、通常兼ついで呼出釦２０７を所定時間以内に２回押し下げるとついで呼出スイッチ２０８ｂがキャンセルされ、通常呼出スイッチ２０８ｂａオンされるようにしても良い。
【０１２６】
通常呼出スイッチ２０８ａがオンになると、通常呼出スイッチ２０８ａは、通常信号生成部２０４および確認灯２０３へと動作信号を出力する。また、呼出スイッチ２０８ｂがオンになると、ついで呼出スイッチ２０８ｂは、ついで信号生成部２０５および確認灯２０３へと動作信号を出力する。
【０１２７】
このようにして動作信号が出力された通常信号生成部２０４、ついで信号生成部２０５、および確認灯２０３は、実施例１で説明したと同様にして動作する。
【０１２８】
本実施例に係るナースコール呼出装置を適用したナースコールシステムは、上述したように、呼出釦としては通常兼ついで呼出釦２０７のみしか備えていないが、釦の押し下げ回数によって通常呼出とついで呼出とを区別して呼び出すことができる。これによって、呼出装置２０やハンド型子機３０９の構成を簡素化しつつ実施例１と同様の作用効果を奏することができる。
【０１２９】
以上、本発明を実施するための最良の形態について、添付図面を参照しながら説明したが、本発明はかかる構成に限定されない。特許請求の範囲の発明された技術的思想の範疇において、当業者であれば、各種の変更例および修正例に想到し得るものであり、それら変更例および修正例についても本発明の技術的範囲に属するものと了解される。
【図面の簡単な説明】
【０１３０】
【図１】実施例１に係るナースコール呼出装置を適用したナースコールシステムの一例を示す概略構成図。
【図２】実施例１に係るナースコール呼出装置の一例を示す外形図。
【図３】実施例１に係るナースコール呼出装置の構成例を示す機能ブロック図。
【図４】実施例１に係るナースコール呼出装置が適用されたハンド型子機の一例を示す外形図。
【図５】ナースコール親機の構成例を示すブロック図。
【図６】患者データベースに格納されたデータの一例を示すデータテーブル。
【図７】呼出装置データベースに格納されたデータの一例を示すデータテーブル。
【図８】呼出に応じてタッチパネル／表示器から表示された画面の一例を示す模式図。
【図９】実施例１に係るナースコールシステムの通常呼出時における動作を示すフローチャート。
【図１０】実施例１に係るナースコールシステムのついで呼出時における動作を示すフローチャート。
【図１１】実施例２に係るナースコール呼出装置の一例を示す外形図。
【図１２】実施例２に係るナースコール呼出装置が適用されたハンド型子機の一例を示す外形図。
【図１３】通常兼ついで呼出釦を上側から見た場合の一例を示す平面図。
【図１４】通常兼ついで呼出釦による通常呼出時およびついで呼出時におけるスイッチング動作を説明するための立断面図。
【図１５】実施例２に係るナースコール呼出装置の構成例を示す機能ブロック図。
【図１６】呼出装置に適用された通常兼ついで呼出釦の構成を示す部分立断面図。
【図１７】ハンド型子機に適用された通常兼ついで呼出釦の構成を示す部分立断面図。
【図１８】従来技術によるナースコールシステムの全体構成を示す概念図。
【図１９】子機の構成例を示す外形図。
【図２０】呼出装置が一体化された子機が壁に設置された状態を示す図。
【符号の説明】
【０１３１】
Ｎ…ナースセンタ、３…ハンディナースコール主装置、４…構内交換機、５…公衆網、６…無線ユニット、７ａ…ＬＡＮ、７ｂ…ハブ、８…看護支援サーバ、９…プリンタ、１０…ナースコール親機、１２…トイレ、１４…浴室、１６…子機、１７…コード、１８…呼出ボタン、２０，２０ａ，２０ｂ…ナースコール呼出装置、２１〜２ｎ…病室、３０…患者または被看護者、３１〜３ｎ…各室ユニット、６１，６２…無線基地局、７１〜７ｍ…携帯端末、１００…中央処理ユニット、１０１…プログラムメモリ、１０１ａ…呼出処理プログラム、１０２…データメモリ、１０２ａ…患者データベース、１０２ｂ…呼出装置データベース、１０３，１０４…通信インタフェース、１０５…ネットワークインタフェース、１０６…通話インタフェース、１０７…入力表示インタフェース、１０８，３０１…マイクロホン、１０９，３０２…スピーカ、１１０…表示器、２０１…通常呼出釦、２０２…ついで呼出釦、２０３…確認灯、２０４…通常信号生成部、２０５…信号生成部、２０６…信号出力部、２０７…通常兼ついで呼出釦、２０８ａ…通常呼出スイッチ、２０８ｂ…ついで呼出スイッチ、３０４…代表廊下灯、３０５…復旧ボタン、３０６…Ｉ／Ｏユニット、３０７…個別情報廊下灯、３０８…壁埋め込み型子機、３０９…ハンド型子機、３１１…通話部、３１２…接続端子
【図１】
2005072870.tif 000003
【図２】
2005072870.tif 000004
【図３】
2005072870.tif 000005
【図４】
2005072870.tif 000006
【図５】
2005072870.tif 000007
【図６】
2005072870.tif 000008
【図７】
2005072870.tif 000009
【図８】
2005072870.tif 000010
【図９】
2005072870.tif 000011
【図１０】
2005072870.tif 000012
【図１１】
2005072870.tif 000013
【図１２】
2005072870.tif 000014
【図１３】
2005072870.tif 000015
【図１４】
2005072870.tif 000016
【図１５】
2005072870.tif 000017
【図１６】
2005072870.tif 000018
【図１７】
2005072870.tif 000019
【図１８】
2005072870.tif 000020
【図１９】
2005072870.tif 000021
【図２０】
2005072870.tif 000022